(57)【要約】【課題】リベット部材をポリブチレンテレフタレート樹脂等の柔らかな樹脂で成形した場合でも、リベット部材の突起の拡開変形部が貫通孔から滑り抜けてしまうことを防止できるスナップファスナーを提供する。【解決手段】合成樹脂製基板の裏面中央部に断面円形で且つ先鋭な合成樹脂製の突起が一体成形されたリベット部材と、前記突起を挿入する円形の貫通孔が形成された合成樹脂製基板の表面に前記貫通孔と同芯状に突出した雄型又は雌型の嵌合部が一体成形された嵌合部材とから成り、可撓性シートの片側から打ち込まれたリベット部材の前記突起を前記貫通孔に挿入し、その突出先端部を打撃により拡開変形させることによって前記嵌合部材を可撓性シートに取り付けるようにしたスナップファスナーにおいて、前記嵌合部の底面ａを前記貫通孔８の軸芯と直角に形成し、この底面ａと貫通孔８との角部を上拡がりに傾斜したラッパ状の斜面ｂに形成する。【選択図】        図５
2004248704.tif 000002
【特許請求の範囲】
【請求項１】
合成樹脂製基板の裏面中央部に断面円形で且つ先鋭な合成樹脂製の突起が一体成形されたリベット部材と、前記突起を挿入する円形の貫通孔が形成された合成樹脂製基板の表面に前記貫通孔と同芯状に突出した雄型又は雌型の嵌合部が一体成形された嵌合部材とから成り、可撓性シートの片側から打ち込まれたリベット部材の前記突起を前記貫通孔に挿入し、その突出先端部を打撃により拡開変形させることによって前記嵌合部材を可撓性シートに取り付けるようにしたスナップファスナーにおいて、前記嵌合部の底面を前記貫通孔の軸芯と直角に形成し、この底面と貫通孔との角部を上拡がりに傾斜したラッパ状の斜面に形成したことを特徴とするスナップファスナー。
【請求項２】
請求項１に記載のスナップファスナーにおいて、前記貫通孔と前記合成樹脂製基板の裏面との角部を下拡がりに傾斜したラッパ状の斜面に形成したことを特徴とするスナップファスナー。
【請求項３】
請求項１に記載のスナップファスナーにおいて、前記貫通孔と前記合成樹脂製基板の裏面との角部を、前記貫通孔と同芯の環状凹入面に形成したことを特徴とするスナップファスナー。
【発明の詳細な説明】
【０００１】
【発明の属する技術分野】
本発明は、合成樹脂製基板の裏面中央部に断面円形で且つ先鋭な合成樹脂製の突起が一体成形されたリベット部材と、前記突起を挿入する円形の貫通孔が形成された合成樹脂製基板の表面に前記貫通孔と同芯状に突出した雄型又は雌型の嵌合部が一体成形された嵌合部材とから成り、可撓性シートの片側から打ち込まれたリベット部材の前記突起を前記貫通孔に挿入し、その突出先端部を打撃により拡開変形させることによって前記嵌合部材を可撓性シートに取り付けるようにしたスナップファスナーに関する。
【０００２】
【従来の技術】
【特許文献１】
特開８−２９９０２７号公報
【０００３】
この種のスナップファスナーにおいて、図１１に示すように、突起先端の拡開変形部７ａを受け止める貫通孔８の開口端を上拡がりに傾斜したラッパ状の斜面ｂに形成することは、本発明者が上記特許文献１により既に提案済みである。
【０００４】
貫通孔８の開口端を上拡がりに傾斜したラッパ状の斜面ｂに形成することは、リベット部材４，６がポリアセタール樹脂のような硬い樹脂で成形されている場合、拡開変形部７ａのひび割れによる折損を防止する上で、非常に有効である。
【０００５】
しかしながら、本発明者は、衣服素材のリサイクル化の一環として、スナップファスナーをポリエステルやＰＢＴ樹脂（ポリブチレンテレフタレート樹脂）で成形することを試みた結果、リベット部材４，６がポリエステルやＰＢＴ樹脂（ポリブチレンテレフタレート樹脂）のような柔らかな樹脂である場合、雌，雄スナップの嵌合状態を外す際に突起７に作用する引張力により、前記斜面ｂがガイド面となって拡開変形部７ａが圧縮され、貫通孔８から滑り抜けてしまうことがあるという事実を知見した。
【０００６】
【発明が解決しようとする課題】
本発明は、この新たな知見に基づいて成されたものであって、その目的とするところは、リベット部材をポリエステルやＰＢＴ樹脂（ポリブチレンテレフタレート樹脂）のような柔らかな樹脂で成形した場合でも、突起の拡開変形部が貫通孔から滑り抜けてしまうことを防止できるようにしたスナップファスナーを提供するにある。
【０００７】
【課題を解決するための手段】
上記の課題を解決するために、本発明は、合成樹脂製基板の裏面中央部に断面円形で且つ先鋭な合成樹脂製の突起が一体成形されたリベット部材と、前記突起を挿入する円形の貫通孔が形成された合成樹脂製基板の表面に前記貫通孔と同芯状に突出した雄型又は雌型の嵌合部が一体成形された嵌合部材とから成り、可撓性シートの片側から打ち込まれたリベット部材の前記突起を前記貫通孔に挿入し、その突出先端部を打撃により拡開変形させることによって前記嵌合部材を可撓性シートに取り付けるようにしたスナップファスナーにおいて、前記嵌合部の底面を前記貫通孔の軸芯と直角に形成し、この底面と貫通孔との角部を上拡がりに傾斜したラッパ状の斜面に形成したことを特徴としている。
【０００８】
上記の構成によれば、貫通孔の開口端に形成されたラッパ状斜面の周囲に、貫通孔の軸芯と直角な底面が形成されているので、可撓性シートの片側から打ち込まれたリベット部材の突起を前記貫通孔に挿入し、その突出先端部を打撃により拡開変形させた際、突起の拡開変形部の外周部分が貫通孔の軸芯に対して直角な底面と機械的に係合した状態となる。
【０００９】
従って、リベット部材をポリエステルやＰＢＴ樹脂（ポリブチレンテレフタレート樹脂）のような柔らかな樹脂で成形した場合でも、雌，雄スナップの嵌合状態を外す際に突起に作用する引張力によって、突起の拡開変形部が貫通孔から滑り抜けてしまう虞がない。
【００１０】
尚、貫通孔と前記合成樹脂製基板の裏面との角部は、直角でもよいが、リベット部材の突起の付け根に丸みが付けられているのが普通であるから、これに合わせて、請求項２に記載の発明のように、貫通孔と前記合成樹脂製基板の裏面との角部を下拡がりに傾斜したラッパ状の斜面に形成したり、請求項３に記載の発明のように、貫通孔と前記合成樹脂製基板の裏面との角部を、前記貫通孔と同芯の環状凹入面に形成することが望ましい。
【００１１】
【発明の実施の形態】
図１と図２において、Ａは、雄スナップ１と雌スナップ２とから構成されたスナップファスナーを示す。雄スナップ１は、合成樹脂製の雄スナップ用嵌合部材３と、それを例えば衣服などの可撓性シートＢ１に取り付ける合成樹脂製リベット部材４とから構成され、雌スナップ２は、合成樹脂製の雌スナップ用嵌合部材５と、それを可撓性シートＢ２に取り付ける合成樹脂製リベット部材６とから構成されている。前記リベット部材４，６の材料樹脂としては、ポリエステルであってもよいが、この例では、ＰＢＴ樹脂（ポリブチレンテレフタレート樹脂）が使用されている。
【００１２】
雄スナップ用嵌合部材３は、図３〜図５に示すように、前記リベット部材４の突起７を挿入する円形の貫通孔８が形成された合成樹脂製基板９の表面に、前記貫通孔８と同芯状に突出した雄型の嵌合部１０を一体成形したもので、図６に示すように、可撓性シートの片側から打ち込まれたリベット部材４の前記突起７を前記貫通孔８に挿入し、その突出先端部を常温下において打撃により拡開変形させることによって前記嵌合部材３を可撓性シートに取り付けるように構成してある。
【００１３】
前記嵌合部１０の内側には、前記貫通孔８の軸芯と直角に形成された底面ａが設けられており、この底面ａと貫通孔８との角部は、上拡がりに傾斜したラッパ状の斜面ｂに形成されている。
【００１４】
上記の構成によれば、貫通孔８の開口端に形成されたラッパ状斜面ｂの周囲に、貫通孔８の軸芯と直角な底面ａが形成されているので、可撓性シートの片側から打ち込まれたリベット部材４の突起７を前記貫通孔８に挿入し、その突出先端部を打撃により拡開変形させた際、図６に示すように、突起７の拡開変形部７ａの外周部分が貫通孔８の軸芯に対して直角な底面ａと機械的に係合した状態となる。
【００１５】
従って、リベット部材４がポリエステルやＰＢＴ樹脂（ポリブチレンテレフタレート樹脂）のような柔らかな樹脂で成形されているにもかかわらず雌，雄スナップ２，１の嵌合状態を外す際に突起７に作用する引張力によって、突起７の拡開変形部７ａが貫通孔８から滑り抜けてしまうことがない。
【００１６】
図７は、他の実施形態を示し、ラッパ状の斜面ｂを上に凸の曲面に形成した点に特徴がある。この構成によっても、ラッパ状斜面ｂの周囲に、貫通孔８の軸芯と直角な底面ａが形成されているので、突起７の拡開変形部７ａの外周部分が貫通孔８の軸芯に対して直角な底面ａと機械的に係合し、拡開変形部７ａの滑り抜け防止作用が発揮される。
【００１７】
図８〜図１０は、夫々、別の実施形態を示し、図８の実施形態は、前記貫通孔８と前記合成樹脂製基板９の裏面との角部を下拡がりに傾斜したラッパ状の斜面ｃに形成した点に特徴がある。その他の構成、作用は、図６の実施形態と同じであるため、説明を省略する。
【００１８】
図９の実施形態は、前記貫通孔８と前記合成樹脂製基板９の裏面との角部に形成された下拡がりに傾斜したラッパ状の斜面ｃを下に凸の曲面に形成した点に特徴がある。その他の構成、作用は、図７の実施形態と同じであるため、説明を省略する。
【００１９】
図１０の実施形態は、前記貫通孔８と前記合成樹脂製基板９の裏面との角部を、前記貫通孔８と同芯の環状凹入面ｄに形成した点に特徴がある。図示の例では、ラッパ状の斜面ｂは、断面が直線の斜面であるが、図７や図９で示した実施形態と同様に、上に凸の曲面に形成してもよい。
【００２０】
尚、図３〜図１０では、雄スナップ用嵌合部材３についてのみ説明したが、雌スナップ用嵌合部材５についても、同様な工夫がなされている。即ち、雌スナップ用嵌合部材５は、図２に示すように、前記リベット部材６の突起７を挿入する円形の貫通孔８が形成された合成樹脂製基板９の表面に、前記貫通孔８と同芯状に突出した雌型の嵌合部１１を一体成形したもので、可撓性シートＢ２の片側から打ち込まれたリベット部材６の前記突起７を前記貫通孔８に挿入し、その突出先端部を常温下において打撃により拡開変形させることによって前記嵌合部材５を可撓性シートＢ２に取り付けるように構成してある。
【００２１】
前記嵌合部１１の内側には、前記貫通孔８の軸芯と直角に形成された底面ａが設けられており、この底面ａと貫通孔８との角部は、上拡がりに傾斜したラッパ状の斜面ｂに形成されている。そして、突起７の突出先端部を打撃により押し潰した際、図２に示すように、突起７の拡開変形部７ａの外周部分が貫通孔８の軸芯に対して直角な底面ａと機械的に係合するように構成されている。
【００２２】
【発明の効果】
本発明は、上述した構成よりなり、リベット部材をポリエステルやＰＢＴ樹脂（ポリブチレンテレフタレート樹脂）のような柔らかな樹脂で成形した場合でも、突起の拡開変形部が貫通孔から滑り抜けてしまうことを防止できる等の効果がある。
【図面の簡単な説明】
【図１】スナップファスナーを取り付けた衣服の要部斜視図である。
【図２】スナップファスナーの縦断側面図である。
【図３】雄スナップ用嵌合部材の平面図である。
【図４】雄スナップ用嵌合部材の側面図である。
【図５】要部の縦断側面図である。
【図６】他の実施形態を示す要部の縦断側面図である。
【図７】他の実施形態を示す要部の縦断側面図である。
【図８】他の実施形態を示す要部の縦断側面図である。
【図９】他の実施形態を示す要部の縦断側面図である。
【図１０】他の実施形態を示す要部の縦断側面図である。
【図１１】従来例を示すスナップファスナーの縦断側面図である。
【符号の説明】
ａ…底面、ｂ…ラッパ状の斜面、７…突起、７ａ…拡開変形部、８…貫通孔。
【図１】
2004248704.tif 000003
【図２】
2004248704.tif 000004
【図３】
2004248704.tif 000005
【図４】
2004248704.tif 000006
【図５】
2004248704.tif 000007
【図６】
2004248704.tif 000008
【図７】
2004248704.tif 000009
【図８】
2004248704.tif 000010
【図９】
2004248704.tif 000011
【図１０】
2004248704.tif 000012
【図１１】
2004248704.tif 000013